(57)【要約】【課題】食事の際に使用する盛り付けプレートの底面に表示される絵柄を差し替え可能とすることで、子供から大人まで老若男女を問わず食事を楽しむことができる盛り付けプレートの提供を図る。【解決手段】盛り付けプレート１の盛り付け箇所２底面２ａを透明に成形するとともに、前記盛り付けプレート１における盛り付け箇所２底面２ａに対応する背面に外部から蓋体５により密封可能な収納部４を設けた構造となっている。【選択図】図１
0003124286.tif 000002
【実用新案登録請求の範囲】
【請求項１】
食事の際に使用する盛り付けプレートであって、前記盛り付けプレートの盛り付け箇所底面を透明に成形するとともに、前記盛り付けプレートにおける盛り付け箇所底面に対応する背面に外部から蓋体により密封可能な収納部を設けたことを特徴とする盛り付けプレート。
【請求項２】
前記盛り付けプレートの前記盛り付け箇所を仕切りにより数区画に仕切ることで、前記盛り付け箇所が複数備えられていることを特徴とする請求項１に記載の盛り付けプレート。
【請求項３】
前記盛り付けプレートに、箸・スプーン・フォーク・ナイフ等を収納するための食器収納部を設けたことを特徴とする請求項１または請求項２に記載の盛り付けプレート。
【請求項４】
前記食器収納部が盛り付けプレートの背面に設けられるとともに、前記食器収納部に装飾用の支脚としても機能する開閉自在の蓋体を設けたことを特徴とする請求項３に記載の盛り付けプレート。
【考案の詳細な説明】
【技術分野】
【０００１】
本考案は、食事の際に使用する盛り付けプレートに関し、特に、楽しみながら食事を取ることが可能となる新規な盛り付けプレートに関するものである。
【背景技術】
【０００２】
人間にとって食事というのは、エネルギーや栄養を補給するために、大変重要である。特に、育児において、発育段階における幼少の子供に対して栄養バランスのとれた食事を与えることが非常に重要である。しかしながら、かかる幼児への食事は、様々な問題を抱えている。すなわち、幼児にとって食事とは、粘土臭くつまらないものであり、したがって幼児が食事だけに集中することはほとんどなく、他の事に気がいってしまって、食事が長時間となったり、食べこぼしたり、さらには、好き嫌いを言ったり、食事を途中で止めて他の事に手を出したり等々、様々なことが起こってしまうのが現状である。
【０００３】
このように、子供への食事に対する集中を高めるということは重要な課題であり、そのためには、食事に興味を持たせて楽しいものにすることが必要となる。そのような背景において、従来の食器は、その底面にキャラクター等の絵柄がプリントしてあり、幼児にそのプリントされた絵柄へ興味を持たせることで、食事を楽しいものにすると同時に、食事へ集中させるように仕向けることが行われてきている。
【０００４】
【特許文献１】実開平７−２４３２４号公報
【考案の開示】
【考案が解決しようとする課題】
【０００５】
しかしながら、かかる従来の食器は、初めのうちはある程度の効果はあるものの、プリントされた絵柄は常に同じであるため、子供がその絵柄に飽きてしまうと、食事を終えた際に何の絵柄が登場するのかという楽しみが無くなってしまって、再び食事への集中を欠くこととなってしまう。
【０００６】
本考案は、上記の問題点に鑑みてなされたもので、盛り付けプレートの底面に表示される絵柄を差し替え可能とすることで、子供から大人まで老若男女を問わず食事を楽しむことができる盛り付けプレートを提供することを目的とするものである。
【課題を解決するための手段】
【０００７】
前記目的を達成するため、本考案は、食事の際に使用する盛り付けプレートであって、前記盛り付けプレートの盛り付け箇所底面を透明に成形するとともに、前記盛り付けプレートにおける盛り付け箇所底面に対応する背面に外部から蓋体により密封可能な収納部を設けた構造となっている。
【０００８】
また、本考案は、前記盛り付けプレートの前記盛り付け箇所を仕切りにより数区画に仕切ることで、前記盛り付け箇所が複数備えられている構造とすることができる。
【０００９】
さらに、本考案は、前記盛り付けプレートに、箸・スプーン・フォーク・ナイフ等を収納するための食器収納部を設けた構造とすることができる。
【００１０】
そしてまた、本考案は、前記食器収納部が盛り付けプレートの背面に設けられるとともに、前記食器収納部に装飾用の支脚としても機能する開閉自在の蓋体を設けた構造とすることができる。
【考案の効果】
【００１１】
本考案にかかる盛り付けプレートによれば、盛り付け箇所底面を透明に成形するとともに、前記盛り付けプレートにおける盛り付け箇所底面に対応する背面に外部から蓋体により密封可能な収納部を設けることで、その時々により盛り付け箇所底面に表示される絵柄を差し替え交換することが可能となって、老若男女を問わず食事を楽しいものへとすることができる。
【００１２】
このことは、特に子供の食事において顕著に効果を奏し、表示される絵柄を通して食事への興味を促し、食事を楽しいものにするとともに、食事に対する集中力を高めることが可能となる。
【考案を実施するための最良の形態】
【００１３】
本考案は、盛り付けプレートの盛り付け箇所底面を透明に成形するとともに、前記盛り付けプレートにおける盛り付け箇所底面に対応する背面に外部から蓋体により密封可能な収納部を設けたことで、かかる盛り付け箇所底面に表示される絵柄を差し替え可能としたことを最大の特徴とする。
以下、本考案にかかる盛り付けプレートの実施形態を図面に基づいて説明する。
【００１４】
図１から図３は、本考案にかかる盛り付けプレートの実施形態を示しており、図１は正面斜視図、図２は背面斜視図、図３は図１におけるＡＡ断面図である。
【００１５】
図１及び図２に示すように、本実施形態にかかる盛り付けプレートは、該盛り付けプレートの盛り付け箇所底面を透明に成形するとともに、前記盛り付けプレートにおける盛り付け箇所底面に対応する背面に外部から蓋体により密封可能な収納部を設けた構造となっている。
【００１６】
盛り付けプレートの全体形状については、図面に示すような形状に限定するものではないことは言うまでもない。
また、盛り付けプレートの材質についても限定するものではないが、盛り付け箇所底面を透明に成形するという構造上、全体をプラスチックにより成型することが考え得る。なお、盛り付け箇所底面の透明な箇所のみを透明なプラスチックで成型し、盛り付けプレート本体に嵌め込む構成も考え得る。
【００１７】
図面において、本実施形態にかかる盛り付けプレートは、該盛り付けプレートの盛り付け箇所を仕切りにより数区画に仕切った構造を採用した場合について示している。
かかる構造を採ることにより、盛り付け箇所が複数備えられると同時に、仕切られた各盛り付け箇所底面に、夫々違った種々の絵柄を表示することが可能となる。
【００１８】
また、図面において、本実施形態にかかる盛り付けプレート１に、箸・スプーン・フォーク・ナイフ等を収納するための食器収納部７を設けた構造を採用した場合について示している。かかる食器収納部７は、盛り付けプレート１本体の所定箇所に、箸・スプーン・フォーク・ナイフ等が収納可能なだけの長さ・幅を有した窪みを形成する構造からなる。
なお、図面では、かかる食器収納部７を盛り付けプレート１正面所定箇所に設けた構造について示しているが、盛り付けプレート１背面の所定箇所に設けることも可能である。ただし、その場合には、収納された箸・スプーン・フォーク・ナイフ等が脱落するのを防止すべく、食器収納部７に蓋体８を備える必要がある。
【００１９】
本実施形態にかかる盛り付けプレート１の具体的な形態として、図３に示すように、盛り付けプレート１本体には、側壁や仕切り３で囲われた盛り付け箇所２が備わり、かかる盛り付け箇所２の底面２ａが透明に成形されている。
そして、かかる盛り付け箇所２の底面２ａに対応する盛り付けプレート１の背面には、図２に示すように、写真やキャラクター絵等の表示すべき絵柄Ｐを収納可能なように、若干窪んだ収納部４が設けられている。
そしてまた、その収納部４は、外部から蓋体５により密封可能となっている。かかる蓋体５の材質について特に限定はないが、ゴムにより成形することで、食事する際の滑り止めとして機能するとともに、テーブルを傷つけない効果も奏する。
【００２０】
なお、図４は、本考案にかかる盛り付けプレート１の他の実施形態を示す背面斜視図である。
すなわち、本考案にかかる盛り付けプレート１を、食事に使用しなくなった際に、写真立てとして機能させることが可能な態様である。このとき、盛り付けプレート１の背面所定箇所には、前記食器収納部７が設けられることとなる。そして、かかる食器収納部７に回動可能に軸支された蓋体８を開放し、あるいは、完全に取り外し可能な蓋体８の一端を食器収納部７に指し込み引掛けるようにして、該蓋体８に写真立てにおける支持脚として機能させることとなる。
【００２１】
このように、不使用となった盛り付けプレート１について、写真立てとしての機能をもたせることで、有効に再利用することができるだけでなく、子供のころに使用した盛り付けプレート１が、使用しなくなった後も引き続き飾られていくことは、その盛り付けプレート１を使用してきた本人にとって、子供のころの食事の楽しさが、懐かしい思い出として永年にわたって生き続けることとなる。
【産業上の利用可能性】
【００２２】
本考案は以上の通りであって、この盛り付けプレート１によれば、収納部４に収納する絵柄を自由に変更可能であるので、従来の絵皿のように常に同じ絵柄が表示されているわけではなく、飽きがきたら絵柄を手軽に交換することが可能である。したがって、老若男女を問わず、個々人の好きな絵柄を表示させることが可能であるため、あらゆる世代の人間が食事を楽しむことができる。このことは、特に幼児世代の子供の食事において有効であり、すなわち、子供にとって食事を終えた後にどのような絵柄が現れるかという点に興味がそそられることで食事への興味を促し、食事を楽しいものにするとともに、食事に対する集中力を高めることが可能となることから、産業上の利用可能性は大である。
【図面の簡単な説明】
【００２３】
【図１】本考案にかかる盛り付けプレートの実施形態を示す正面斜視図である。
【図２】本考案にかかる盛り付けプレートの実施形態を示す背面斜視図である。
【図３】本考案にかかる盛り付けプレートの実施形態を示す断面図である。
【図４】本考案にかかる盛り付けプレートの他の実施形態を示す背面斜視図である。
【符号の説明】
【００２４】
１    盛り付けプレート
２    盛り付け箇所
２ａ  底面
３    仕切り
４    収納部
５    蓋体
７    食器収納部
８    蓋体
Ｐ    絵柄
【図１】
0003124286.tif 000003
【図２】
0003124286.tif 000004
【図３】
0003124286.tif 000005
【図４】
0003124286.tif 000006